(57)【要約】【課題】画像形成装置から生じる廃トナーの処理を容易にし、耐久性の高い電子写真感光体及び電子写真装置を提供する。【解決手段】電子写真感光体に帯電、露光により静電潜像を形成し、現像剤（以下トナーと記す）により現像を行い、形成された可視像を転写材に転写し、転写残りトナー（以下廃トナーと記す）をクリーニングする手段を有する画像形成装置において、該クリーニング手段が、廃トナーを感光体より掻き落とす弾性クリーニングブレードと廃トナーを搬送するため、感光体と並行に配置されたスクリューなどの搬送部材から構成され、廃トナーの搬送方向が電子写真感光体に対して水平方向であり且つ該電子写真感光体の表面層が、フィッシャー微小硬度計での硬度が２３℃において２１０Ｎ／ｍｍ２以上であることを特徴とする電子写真感光体及びそれを用いた画像形成装置。【選択図】　　　　図１
2004069971.tif 000002
【特許請求の範囲】
【請求項１】
電子写真感光体に帯電、露光により静電潜像を形成し、現像剤（以下トナーと記す）により現像を行い、形成された可視像を転写材に転写し、転写残りトナー（以下廃トナーと記す）をクリーニングする手段を有する画像形成装置において、該クリーニング手段が、廃トナーを感光体より掻き落とす弾性クリーニングブレードと廃トナーを搬送するため、感光体と並行に配置されたスクリューなどの搬送部材から構成され、廃トナーの搬送方向が電子写真感光体に対して水平方向であり且つ該電子写真感光体の表面層が、フィッシャー微小硬度計での硬度が２３℃において２１０Ｎ／ｍｍ２以上であることを特徴とする電子写真感光体及びそれを用いた画像形成装置。
【請求項２】
電子写真感光体の表面層が、下記一般式（１）で示される繰り返し単位を有するポリアリレート樹脂を含有し、フィッシャー微小硬度計での硬度が２３℃において２１０Ｎ／ｍｍ２〜３００Ｎ／ｍｍ２であることを特徴とする請求項１の電子写真感光体及びそれを用いた画像形成装置。
【外１】
2004069971.tif 000014
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−Ｏ−、−Ｓ−、−ＳＯ−、または−ＳＯ２−である。また、Ｒ１〜Ｒ１２は水素原子、ハロゲン原子、置換されてもよいそれぞれアルキル基またはアリール基である。）
【発明の詳細な説明】
【０００１】
【発明の属する技術分野】
本発明は複写機、プリンタ、ファクシミリ等に用いられる電子写真感光体及びそれを用いた電子写真装置に関するものである。
【０００２】
【従来の技術】
従来、複写機、プリンタ、ファクシミリ等の画像形成装置は、一様に帯電させた感光ドラムに画像露光を行い静電潜像を形成し、この静電潜像をトナーで現像すると共に、該トナー像を転写材に転写して画像記録を行う。感光ドラム上に転写されずに残ったトナーはクリーニング工程において感光ドラムより掻き取られる。
【０００３】
従来この掻き取られた廃トナーは、感光ドラム内に収容されたり、感光ドラムと一体になったクリーニング容器内に収容されている。
【０００４】
【発明が解決しようとする課題】
しかしながら近年、複写機、プリンタ等の小型化、省スペース化に伴い感光ドラムは小径のものが広く使われるようになり、前記した感光体内に廃トナーを収容する構成では廃トナー収容容積が少なくなったため用いる事が出来なくなった。更に感光ドラムとクリーナ容器が一体となった構成でも同様に、耐久寿命の高い感光ドラムを使用した場合十分な収容スペースを確保するのが難しくなっている。特に本体の小型化により感光ドラムと定着器の間隔が狭くなった機械においては廃トナーの収容スペースを確保するのは非常に大変なことである。そこでクリーニングブレードにより掻き落とされた廃トナーを感光ドラムと並行に配置した廃トナー搬送手段、例えばスクリュー部材によりクリーナ容器から廃トナー収容容器に送る方式が用いられるが、廃トナーがクリーナ中を手前から奥、又は奥から手前に搬送されることにより感光ドラムへ廃トナーが付着する、又は転写材に用いられる紙の粉、所謂紙粉の影響などにより感光ドラム表面を汚染し感光ドラムのムラ削れを生じ感光ドラムの寿命が短くなる等の新たな問題が発生した。
【０００５】
本発明は従来の前記課題を解決するものであり、その目的とするところは、電子写真方式を用いた画像形成装置から生じる廃トナーの処理を容易にし、耐久性の高い電子写真感光体及び電子写真装置を提供することを目的としている。
【０００６】
【課題を解決するための手段】
本発明は上記目的を達成するために、電子写真感光体に帯電、露光により静電潜像を形成し、現像剤（以下トナーと記す）により現像を行い、形成された可視像を転写材に転写し、転写残りトナー（以下廃トナーと記す）をクリーニングする手段を有する画像形成装置において、該クリーニング手段が、廃トナーを感光体より掻き落とす弾性クリーニングブレードと廃トナーを搬送するため、感光体と並行に配置されたスクリューなどの搬送部材から構成され、廃トナーの搬送方向が電子写真感光体に対して水平方向であり且つ該電子写真感光体の表面層が、フィッシャー微小硬度計での硬度が２３℃において２１０Ｎ／ｍｍ２以上であることを特徴とする画像形成装置により上記目的が達成される事を見出した。
【０００７】
また、特に本発明者らは、電子写真感光体の表面層が、下記一般式（１）で示される繰り返し単位を有するポリアリレート樹脂を含有し、フィッシャー微小硬度計での硬度が２３℃において２１０Ｎ／ｍｍ２〜３００Ｎ／ｍｍ２であることを特徴とする電子写真感光体が上記画像形成装置に適することを見出した。
【外２】
2004069971.tif 000003
【０００８】
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−Ｏ−、−Ｓ−、−ＳＯ−、または−ＳＯ２−である。また、Ｒ１〜Ｒ１２は水素原子、ハロゲン原子、置換されてもよいそれぞれアルキル基またはアリール基である。）
また、感光体の硬度は、公知のフィッシャーの微小硬度計で測定可能である。フィッシャーの微小硬度計は、先端の対面角度が規定されているダイヤモンド圧子を、四角錐の頂点が試料に当たるようにして圧子を押し付け、押し付け加重をある範囲で変化させた時に圧子が試料に押し込まれる深さを変位として測定し、下記の式１により定義される「硬度」を求めることが出来る。
【０００９】
式１　…　「硬度」＝Ｃ・Ｆ／ｔ２＝Ｎ／ｍｍ２
式１中、Ｆは押し込み加重で単位はＮ。ｔは加重付加時の変位で単位はｍｍ（＝押し込まれた距離）。Ｃはフィッシャー微小硬度計での定数を意味する。
【００１０】
本発明での測定は、任意の秒間隔毎に４〜６０回の加重付加をかけるサイクルにて行い、付加加重を、フィッシャー微小硬度計固有の上昇率で０．４ｍＮ〜１０００ｍＮの範囲で変化させて行うことが出来る。フィッシャー微小硬度計により計算された測定結果を、横軸に圧子の進入距離を、縦軸に感光体の「硬度」をプロットしてグラフを作成し、曲線が横軸とほぼ並行になったところの縦軸の値を本発明における電子写真感光体の「硬度」とすることが出来る。
【００１１】
【発明の実施の形態】
本発明における画像形成装置のクリーニング手段において廃トナーを感光体より掻き落とす弾性クリーニングブレードは、ウレタン樹脂が好ましい。又廃トナーを搬送するため、感光体と並行に配置される搬送部材としては、樹脂で成型されたスクリュー、針金をコイル状に巻いた部材などから構成される。電子写真感光体の表面層は、フィッシャー微小硬度計での硬度が２１０Ｎ／ｍｍ２以上の電子写真感光体を用いることにより、廃トナーの搬送に伴い発生するトナー中の添加剤、紙粉などが感光上に付着するのを防ぐことが出来、更に感光体表面層としては機械的強度に優れたポリアリレート樹脂が最も適しており、特にフィッシャー微小硬度計での硬度が２３℃において２１０Ｎ／ｍｍ２〜３００Ｎ／ｍｍ２のポリアリレート樹脂を含有する表面層が好ましい。フィッシャー微小硬度３００Ｎ／ｍｍ２以上の表面層の場合、表面層の摩耗量が少なくなり過ぎる為、感光体表面に極少量付着した紙粉に含まれるタルクなどの影響により高湿下で画像が乱れる所謂画像流れを発生する。本発明のポリアリレート樹脂は、アルキル基としてはメチル基、エチル基及びプロピル基等が挙げられ、アルキレン基としてはメチレン基及びジメチレン基等が挙げられ、アリール基としてはフェニル基及びナフチル基等が挙げられる。Ｒ１３とＲ１４にわたる２価のアルキリデン基としてはシクロヘキシリデン基及びシクロペンチリデン基等が挙げられ、ハロゲン原子としてはフッ素原子、塩素原子及び臭素原子等が挙げられる。これらが有してもよい置換基としては上述のようなハロゲン原子、アルキル基及びアリール基等が挙げられる。
【００１２】
以下に式（１）で示される構成単位の具体例を表１で示すが、これらに限られるものではない。
【００１３】
【表１】
2004069971.tif 000004
【００１４】
【表２】
2004069971.tif 000005
【００１５】
【表３】
2004069971.tif 000006
【００１６】
好ましい例としては構成単位例１、２、３及び７が挙げられ、特に構成単位１及び２が好ましい。
【００１７】
本発明において用いられる式（１）で示される構成単位を有する重合体は、下記式（２）で示されるビスフェノールを通常溶解性を上げるためテレフタル酸塩化物及びイソフタル酸塩化物の混合物とアルカリ下で溶媒／水系中で撹拌して界面重合によって合成できる。
【００１８】
テレフタル酸塩化物及びイソフタル酸塩化物の比率はその重合体の溶解性を考慮して決定されるもので定説はない。ただし、いずれかの塩化物が３０ｍｏｌ％以下になると合成した重合体の溶解性が極端に低下するので注意が必要である。通常は１／１の比率で合成するのが好ましい。
【外３】
2004069971.tif 000007
【００１９】
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−Ｏ−、−Ｓ−、−ＳＯ−、または−ＳＯ２−である。また、Ｒ１〜Ｒ８は水素原子、ハロゲン原子、置換されてもよいそれぞれアルキル基またはアリール基である。）
本発明の電子写真感光体においては式（１）で示される構成単位が同一のもので構成される重合体でも、２種類以上の式（１）で示される別種の構成単位からなる共重合体でもよい。
【００２０】
本発明に用いられる前記末端構造を有するポリアリレートは、バインダー樹脂として単独で用いることはもちろん、他の樹脂と混合して用いることも可能である。混合可能な樹脂としては、ポリアリレート、ポリカーボネート、ポリエステル、ポリウレタン、ポリエチレン、ポリスチレン、ポリブタジエン、ポリアミド、ポリプロピレン、ポリイミド、ポリアミドイミド、ポリサルホン、ポリアリルエーテル、ポリアセタール、ナイロン、フェノール樹脂、アクリル樹脂、シリコーン樹脂、エポキシ樹脂、アリル樹脂、アルキット樹脂、ブチラール樹脂などが挙げられる。
【００２１】
本発明による電子写真感光体は特に優れた機械的強度を有し、良好な電子写真特性を持っているものである。
【００２２】
本発明による重合体は構成単位中に剛直性を有するユニットが含有され、電子写真感光体形成時にそのユニットが部分的にガラス化することによって高分子被膜全体の耐久性を上げるものと考えられる。
【００２３】
以下本発明に用いる電子写真感光体の構成について説明する。
【００２４】
使用する導電性支持体は導電性を有するものであればよく、アルミニウム、ステンレス等の金属、あるいは導電層を設けた金属、紙及びプラスチック等が挙げられ、形状はシート状及び円筒状等が挙げられる。
【００２５】
ＬＢＰ等画像入力がレーザー光の場合は散乱による干渉縞防止、または支持体の傷を被覆することを目的とした導電層を設けてもよい。これは、カーボンブラック及び金属粒子等の導電性粉体をバインダー樹脂に分散させて形成することができる。導電層の膜厚は５〜４０μｍが好ましく、より好ましくは１０〜３０μｍである。
【００２６】
その上に接着機能を有する中間層を設ける。中間層の材料としてはポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は０．０５〜５μｍが好ましく、より好ましくは０．３〜１μｍである。
【００２７】
中間層の上には電荷発生層が形成される。本発明に用いられる電荷発生物質としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。機能分離型の場合、電荷発生層は前記電荷発生物質を０．３〜４倍量のバインダー樹脂及び溶剤とともにホモジナイザー、超音波分散、ボールミル、振動ボールミル、サンドミル、アトライター、ロールミル及び液衝突型高速分散機等の方法でよく分散し、分散液を塗布、乾燥させて形成される。電荷発生層の膜厚は５μｍ以下が好ましく、より好ましくは０．１〜２μｍである。
【００２８】
電荷輸送層は主として電荷輸送材料と本発明に用いる重合体を含むバインダー樹脂とを溶剤中に溶解させた塗料を塗工・乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００２９】
電荷輸送層の膜厚は５〜５０μｍが好ましく、より好ましくは１５〜４０μｍである。感光体の導電性基体としては通常金属、特にアルミニウムが用いられることが多い。感光体の基体としては基本的には円筒状に成形できるものであれば特に制限はないが成形性、加工性、強度等を考慮すると金属、特にはアルミニウムが好適である。
【００３０】
図１に感光ドラムを用いた一般的な転写式電子写真装置の概略構成を示した。図において、１０１は像担持体としての感光ドラムであり軸１０１ａを中心に矢印方向に所定の周速度で回転駆動される。感光ドラムはその回転過程で帯電手段１０２によりその周面に正または負の所定電位の均一帯電を受け、次いで露光部１０３にて不図示の像露光手段により光像露光Ｌ（スリット露光・レーザービーム走査露光など）を受ける。これにより感光ドラム周面に露光像に対応した静電潜像が順次形成されていく。
【００３１】
その静電潜像はついで現像スリーブ１０４ａを内蔵する現像手段１０４でトナー現像されそのトナー現像像が転写手段１０５により不図示の給紙部から感光ドラム１０１と転写手段１０５との間に感光ドラムの回転と周期取りされて給送された転写材Ｐの面に順次転写されていく。
【００３２】
像転写を受けた転写材Ｐは感光ドラム面から分離されて像定着手段１０８へ導入されて像定着を受けて複写物（コピー）として機外へプリントアウトされる。像転写後の感光ドラムの表面は、クリーニング手段１０６により転写残りトナーの除去を受けて清浄面化されて、さらに前露出手段１０７により除電処理されて繰り返して像形成に使用される。尚クリーニング手段１０６は、図２に示す様に転写残りトナーを感光ドラムより掻き落とす弾性ブレード２０１と掻き落とされたトナーを搬送するため、感光ドラムと並行に配置されたスクリュー部材２０２、さらに掻き落とされた廃トナーがクリーナ容器から溢れて落下しない様に感光ドラムに当接されたシート２０３から構成されている。廃トナーは搬送方向が感光ドラムに対して水平方向に電子写真装置手前から奥に搬送され、図示しない電子写真装置奥側の廃トナー収納容器１０９に収納される。
【００３３】
感光ドラムの均一帯電手段１０２としてはコロナ帯電装置、ローラー帯電などが一般に広く使用されている。また転写装置５も同様にコロナ転写手段、ローラー帯電手段が一般に広く使用されている。電子写真装置としては、上述の感光ドラムや現像手段、クリーニング手段などの構成要素のうち、複数のものを装置ユニットとして一体に結合して構成し、このユニットを装置本体に対して着脱自在に構成しても良い。例えば、帯電手段、現像手段及びクリーニング手段の少なくとも１つを感光体とともに一体に支持してユニットを形成し、装置本体に着脱自在の単一ユニットとし、装置本体のレールなどの案内手段を用いて着脱自在の構成にしても良い。このとき、上記の装置ユニットのほうに帯電手段及び／または現像手段を伴って構成しても良い。
【００３４】
また、光像露光Ｌは、電子写真装置を複写機やプリンタとして使用する場合には、原稿からの反射光や透過光、あるいは、原稿を読取り信号化し、この信号によりレーザービームの走査、ＬＥＤアレイの駆動、または液晶シャッターアレイ駆動などにより行われる。
【００３５】
また、ファクシミリのプリンタとして使用する場合には、光像露光Ｌは受信データをプリントするための露光になる。図３はこの場合の１例をブロック図で示したものである。コントローラ１１１は画像読取部１１０とプリンタ１１９を制御する。コントローラ１１１の全体はＣＰＵ１１７により制御されている。画像読取部からの読取データは、送信回路１１３を通して相手局に送信される。相手局から受けたデータは受信回路１１２を通してプリンタ１１９に送られる。画像メモリには所定の画像データが記憶される。プリンタコントローラ１１８はプリンタ１１９を制御している。１１４は電話である。回線１１５から受信された画像（回線を介して接続されたリモート端末からの画像情報）は、受信回路１１２で復調された後、ＣＰＵ１１７は画像情報の復号処理を行い順次画像メモリ１１６に格納される。そして、少なくとも１ページの画像がメモリ１１６に格納されると、そのページの画像記録を行う。ＣＰＵ１１７は、メモリ１１６より１ページの画像情報を読み出しプリンタコントローラ１８に複合化された１ページの画像情報を送出する。プリンタコントローラ１１８は、ＣＰＵ１１７からの１ページの画像情報を受け取るとそのページの画像情報記録を行うべく、プリンタ１１９を制御する。
【００３６】
尚、ＣＰＵ１１７は、プリンタ１１９による記録中に、次のページの受信を行っている。
【００３７】
以上の様に、画像の受信と記録が行われる。
【００３８】
フィッシャー硬度は、フィッシャー製フィッシャースコープＨ１００Ｖを用いて行った。測定条件は、作成した電子写真感光体を試料台上に固定して、２３±１℃に調整された室内にておこなった。
【００３９】
フィッシャーの微小硬度計は、先端の対面角度が規定されているダイヤモンド圧子を、四角錐の頂点が試料に当たるようにして圧子を押し付け、押し付け加重をある範囲で変化させた時に圧子が試料に押し込まれる深さを変位として測定し、下記の式１により定義される「硬度」を求めることが出来る。
【００４０】
式１　…　「硬度」＝Ｃ・Ｆ／ｔ２＝Ｎ／ｍｍ２
式１中、Ｆは押し込み加重で単位はＮ。ｔは加重付加時の変位で単位はｍｍ（＝押し込まれた距離）。Ｃはフィッシャー微小硬度計での定数を意味する。
【００４１】
本発明での測定は、１秒毎に２０回の加重付加をかけるサイクルにて行い、付加加重を、フィッシャー微小硬度計固有の上昇率で０．４ｍＮ〜５００ｍＮの範囲で変化させて行う。フィッシャー微小硬度計により計算された測定結果を、横軸に圧子の進入距離を、縦軸にトナーの「硬度」をプロットしてグラフを作成し、曲線が横軸とほぼ並行になったところの縦軸の値を本発明における電子写真感光体の「硬度」とする。
【００４２】
【実施例】
（実施例１）
３０φ、３５７．５ｍｍのアルミニウムシリンダーを支持体とし、それに、以下の材料より構成される塗料を支持体上に浸漬コーティング法で塗布し１４０℃で３０分熱硬化して１５μｍの導電層を形成した。
【００４３】
導電性顔料：ＳｎＯ２コート処理硫酸バリウム　　　　　　　　１０部
抵抗調節用顔料：酸化チタン　　　　　　　　　　　　　　　　２部
バインダー樹脂：フェノール樹脂　　　　　　　　　　　　　　６部
レベリング材：シリコーンオイル　　　　　　　　　　０．００１部
溶剤：メタノール／メトキシプロパノール０．２／０．８　　２０部
次に、この上にＮ−メトキシメチル化ナイロン３部及び共重合ナイロン３部をメタノール６５部及びｎ−ブタノール３０部の混合溶媒に溶解した溶液を浸漬コーティング法で塗布し０．５μｍの中間層を形成した。
【００４４】
次に、ＣｕＫα特性Ｘ線回折のブラッグ角２θ±０．２°が９．０°、１４．２°、２３．９°及び２７．１°に強いピークを有するオキシチタニウムフタロシアニン（ＴｉＯＰｃ）４部及びポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。これを浸漬コーティング法で塗布し０．３μｍの電荷発生層を形成した。
【００４５】
次に、下記構造式のトリフェニルアミン化合物９部、
【外４】
2004069971.tif 000008
【００４６】
下記構造式のスチリル化合物１部
【外５】
2004069971.tif 000009
【００４７】
と表２の条件１記載の重合体１０部を、モノクロロベンゼン３０部及びジクロロメタン７０部の混合溶媒に溶解した。
【００４８】
この重合体は所定ビフェノール（０．０１ｍｏｌ）、水酸化ナトリウム（０．８ｇ）及び塩化テトラメチルアンモニウム（１ｇ）を水１００ｍｌに溶かして１リットルのミキサー中に投入し、これに１，２−ジクロロエタン（３０ｍｌ）にテレフタル酸塩化物（０．００５ｍｏｌ）及びイソフタル酸塩化物（０．００５ｍｏｌ）を溶かしたものを撹拌しながら投入し１０分高速撹拌し２時間放置後、末端のカルボキシル基を停止するためにｐ−ｔｅｒｔ−ブチルフェノールをモノマーに対し５ｍｏｌ％投入し、更に３０分撹拌し、その後１，２−ジクロロエタン液を回収しこれに大量のヘキサンを投入しポリマーとして回収したものである。なお、回収後水洗浄、クロロホルム溶解及びメタノール滴下による精製工程を３回行ったものを用いた。
【００４９】
この塗料を浸漬コーティング法で塗布し、乾燥温度１２０℃で２時間乾燥して３０μｍの電荷輸送層を形成した。
【００５０】
次に評価について説明する。
【００５１】
装置はキャノン製複写機ＧＰ２１５（プロセススピード１０５ｍｍ／ｓｅｃ）のクリーナを図１に示す構成に改造した。廃トナーは、本体駆動モーターからギアを介して駆動され、本体奥側から手前にスクリューにより搬送され本体前部に取り付けた廃トナー容器に収納される。作成した電子写真感光体をこの装置で３２℃、９５％ＲＨ下で通紙耐久（ＨＨ耐久）を行った。シーケンスはコピー１枚毎に１回停止する間欠モードとした。
【００５２】
その結果を表３に示す。
【００５３】
【表４】
2004069971.tif 000010
【００５４】
（実施例２）
電荷輸送層のバインダー樹脂に表２の条件２〜６のものを用いた以外は、実施例１と同様に電子写真感光体を作成し評価した。その結果を表３に示す。
【００５５】
【表５】
2004069971.tif 000011
【００５６】
（比較例１〜５）
電荷輸送層のバインダー樹脂に表４の条件１〜２のものを用いた以外は、実施例１と同様に電子写真感光体を作成し評価した。その結果を表５に示す。
【００５７】
【表６】
2004069971.tif 000012
【００５８】
【表７】
2004069971.tif 000013
【００５９】
【発明の効果】
以上説明した様に本発明によれば、優れた耐摩耗性と耐傷性を有する、高耐久性の電子感光体、及び高耐久の画像形成装置を提供する事が出来る。また、廃トナー容器を電子写真感光体ユニットから分離することにより、電子写真感光体と定着手段との距離を短くできるので、装置を小型化できると共に、記録媒体の搬送パスを短くでき、画像形成時間を短縮することができるものである。
【図面の簡単な説明】
【図１】本発明による電子写真装置の概略構成図である。
【図２】本発明による電子写真装置のクリーナ部の概略構成図である。
【図３】本発明による電子写真装置をプリンタとして使用したファクシミリのブロック図である。
【図１】
2004069971.tif 000015
【図２】
2004069971.tif 000016
【図３】
2004069971.tif 000017